(57)【要約】【課題】状況に応じて表示内容をユーザが所望の期間に、容易且つ柔軟に表示させることが可能な表示端末装置、情報表示システム、情報表示制御方法、及び、プログラムを提供する。【解決手段】設定された外部機器と無線通信を行うための無線通信手段と、表示手段と、無線通信手段により表示手段に表示させる表示内容、この表示内容の表示期間設定、及び、表示期間の変更条件を含む表示情報を取得する表示情報取得手段と、表示期間設定に基づいて表示手段による表示内容の表示期間を制御する表示制御手段と、変更条件に該当する状態か否かを判別する判別手段と、判別手段の判別結果に基づいて表示期間を変更する表示期間変更手段と、を備える。【選択図】図４
2014123169.tif 000002
【特許請求の範囲】
【請求項１】
設定された外部機器と無線通信を行うための無線通信手段と、
表示手段と、
前記無線通信手段により前記表示手段に表示させる表示内容、当該表示内容の表示期間設定、及び、当該表示期間の変更条件を含む表示情報を取得する表示情報取得手段と、
前記表示期間設定に基づいて前記表示手段による前記表示内容の表示期間を制御する表示制御手段と、
前記変更条件に該当する状態か否かを判別する判別手段と、
前記判別手段の判別結果に基づいて前記表示期間を変更する表示期間変更手段と
を備えることを特徴とする表示端末装置。
【請求項２】
入力操作を受け付ける操作手段を備え、
前記判別手段は、当該操作手段により前記変更条件に該当する操作内容が受け付けられたか否かを判別する
ことを特徴とする請求項１記載の表示端末装置。
【請求項３】
前記判別手段は、複数の前記変更条件の何れかに該当するか否かを判別し、
前記表示期間変更手段は、当該複数の変更条件に対応してそれぞれ予め設定された変更内容により前記表示期間を変更する
ことを特徴とする請求項１又は２記載の表示端末装置。
【請求項４】
現在の日時を計数する計時手段を備え、
前記判別手段は、前記表示内容の表示期間中に前記計時手段の計数する現在の日時が所定時間以上修正されたか否かを判別し、
前記表示期間変更手段は、前記判別手段により前記現在の日時が前記所定時間以上修正されたと判別された場合には、前記表示内容の表示期間を終了させるように前記表示期間を変更する
ことを特徴とする請求項１〜３の何れか一項に記載の表示端末装置。
【請求項５】
現在の日時を計数する計時手段と、
前記表示内容の表示期間に係る時間の経過を計数する期間計数手段と、
を備え、
前記表示制御手段は、前記期間計数手段の計数する時間の経過により前記表示内容の表示期間を制御する
ことを特徴とする請求項１〜４の何れか一項に記載の表示端末装置。
【請求項６】
前記期間計数手段は、前記無線通信手段により前記表示内容が取得されたタイミングで前記計時手段が計数していた日時を基準として現在の日時を計数することを特徴とする請求項５記載の表示端末装置。
【請求項７】
前記表示情報を所定数記憶可能な記憶手段を備え、
前記表示情報取得手段は、前記表示期間の終了後所定時間が経過した前記表示内容に係る前記表示情報を新たに取得された表示情報で上書き更新する
ことを特徴とする請求項１〜６の何れか一項に記載の表示端末装置。
【請求項８】
請求項１〜７の何れか一項に記載の表示端末装置と、外部機器とを備え、
当該外部機器は、
他の外部機器と無線通信を行うための外部無線通信手段と、
前記表示端末装置に表示させる表示内容と、当該表示内容の表示期間と、当該表示期間の変更条件とを含む表示設定情報を設定するための外部設定手段と、
前記表示設定情報を前記表示内容ごとに記憶する外部記憶手段と、
前記表示内容の表示開始日時を基準とした所定のタイミングで前記外部無線通信手段に前記表示端末装置へ当該表示内容に係る前記表示情報を送信させる表示情報制御手段と
を備える
ことを特徴とする情報表示システム。
【請求項９】
前記外部機器は、電話、及び／又は、電子メールの送受信を行う第２通信手段を備え、
前記外部設定手段は、前記第２通信手段による電話、及び／又は、電子メールの着信時に、当該着信を示す表示内容、及び、当該着信のタイミングから所定時間の前記表示期間を含む表示設定情報を設定する
ことを特徴とする請求項８記載の情報表示システム。
【請求項１０】
設定された外部機器と無線通信を行うための無線通信手段を備えた表示端末装置に前記外部機器から取得された表示内容を表示させる情報表示制御方法であって、
表示させる表示内容、当該表示内容の表示期間設定、及び、当該表示期間の変更条件を含む表示情報を前記無線通信手段により取得する表示情報取得ステップ、
前記表示期間設定に基づいて前記表示内容の表示期間を制御する表示制御ステップ、
前記変更条件に該当する状態か否かを判別する判別ステップ、
前記判別ステップでの判別結果に基づいて前記表示期間を変更する表示期間変更ステップ
を含むことを特徴とする情報表示制御方法。
【請求項１１】
設定された外部機器と無線通信を行うための無線通信手段を備え、前記外部機器から取得された表示内容を表示する表示端末装置に用いられるコンピュータを、
表示させる表示内容、当該表示内容の表示期間設定、及び、当該表示期間の変更条件を含む表示情報を前記無線通信手段により取得する表示情報取得手段、
前記表示期間設定に基づいて前記表示内容の表示期間を制御する表示制御手段、
前記変更条件に該当する状態か否かを判別する判別手段、
前記判別手段の判別結果に基づいて前記表示期間を変更する表示期間変更手段
として機能させることを特徴とするプログラム。
【発明の詳細な説明】
【技術分野】
【０００１】
この発明は、情報を表示する表示端末装置、情報表示システム、情報表示制御方法、及び、プログラムに関する。
【背景技術】
【０００２】
従来、Bluetooth（登録商標）通信といった無線通信手段を用いて複数の情報表示端末間でデータをやり取りし、必要なメッセージ（表示内容）を所望のタイミングで所望の情報表示端末に表示させる情報表示システムがある。特に、複数の携帯型情報表示端末を併用するユーザは、状況に応じて一の情報表示端末のみを用いる場合が多く、他の情報表示端末で設定された情報を当該一の情報表示端末に表示させることで情報の知得漏れを防止することが出来る。
【０００３】
このような情報表示システムで表示されるメッセージは、リアルタイムで表示され、ユーザが表示端末で消去動作を行うことで消去されるものの他、設定を行う情報端末の側で所定の表示期間を定め、当該期間に亘って継続的に情報表示端末に表示させることが可能なものがある。この表示期間を含む表示情報は、メッセージと共に表示させる情報表示端末に送られ、その後、設定を行った情報端末と情報表示端末との間で通信の接続が切断されても、情報表示端末が取得済みの表示情報に基づいてメッセージの表示やその消去を行うことが出来る（特許文献１、特許文献２）。
【先行技術文献】
【特許文献】
【０００４】
【特許文献１】特開２００１−１６７０１２号公報
【特許文献２】特開２００５−２３４６６０号公報
【発明の概要】
【発明が解決しようとする課題】
【０００５】
しかしながら、従来の表示設定では、一度表示情報として表示内容の表示期間を情報表示端末に送信してしまうと、その後状況が変化しても容易に表示期間の設定を変更することが出来ず、表示内容をユーザが所望の期間に容易且つ柔軟に表示させることが出来ないという課題があった。
【０００６】
この発明の目的は、状況に応じて表示内容をユーザが所望の期間に、容易且つ柔軟に表示させることが可能な表示端末装置、情報表示システム、情報表示制御方法、及び、プログラムを提供することにある。
【課題を解決するための手段】
【０００７】
本発明は、上記目的を達成するため、
設定された外部機器と無線通信を行うための無線通信手段と、
表示手段と、
前記無線通信手段により前記表示手段に表示させる表示内容、当該表示内容の表示期間設定、及び、当該表示期間の変更条件を含む表示情報を取得する表示情報取得手段と、
前記表示期間設定に基づいて前記表示手段による前記表示内容の表示期間を制御する表示制御手段と、
前記変更条件に該当する状態か否かを判別する判別手段と、
前記判別手段の判別結果に基づいて前記表示期間を変更する表示期間変更手段と
を備えることを特徴とする表示端末装置である。
【０００８】
また、本発明は、
設定された外部機器と無線通信を行うための無線通信手段と、
表示手段と、
前記無線通信手段により前記表示手段に表示させる表示内容、当該表示内容の表示期間設定、及び、当該表示期間の変更条件を含む表示情報を取得する表示情報取得手段と、
前記表示期間設定に基づいて前記表示手段による前記表示内容の表示期間を制御する表示制御手段と、
前記変更条件に該当する状態か否かを判別する判別手段と、
前記判別手段の判別結果に基づいて前記表示期間を変更する表示期間変更手段と
を備える表示端末装置と、
外部機器とを備え、
当該外部機器は、
他の外部機器と無線通信を行うための外部無線通信手段と、
前記表示端末装置に表示させる表示内容と、当該表示内容の表示期間と、当該表示期間の変更条件とを含む表示設定情報を設定するための外部設定手段と、
前記表示設定情報を前記表示内容ごとに記憶する外部記憶手段と、
前記表示内容の表示開始タイミングで前記外部無線通信手段に前記表示端末装置へ当該表示内容に係る前記表示情報を送信させる表示情報制御手段と
を備える
ことを特徴とする情報表示システムである。
【０００９】
また、本発明は、
設定された外部機器と無線通信を行うための無線通信手段を備えた表示端末装置に前記外部機器から取得された表示内容を表示させる情報表示制御方法であって、
表示させる表示内容、当該表示内容の表示期間設定、及び、当該表示期間の変更条件を含む表示情報を前記無線通信手段により取得する表示情報取得ステップ、
前記表示期間設定に基づいて前記表示内容の表示期間を制御する表示制御ステップ、
前記変更条件に該当する状態か否かを判別する判別ステップ、
前記判別ステップでの判別結果に基づいて前記表示期間を変更する表示期間変更ステップ
を含むことを特徴としている。
【００１０】
また、本発明は、
設定された外部機器と無線通信を行うための無線通信手段を備え、前記外部機器から取得された表示内容を表示する表示端末装置に用いられるコンピュータを、
表示させる表示内容、当該表示内容の表示期間設定、及び、当該表示期間の変更条件を含む表示情報を前記無線通信手段により取得する表示情報取得手段、
前記表示期間設定に基づいて前記表示内容の表示期間を制御する表示制御手段、
前記変更条件に該当する状態か否かを判別する判別手段、
前記判別手段の判別結果に基づいて前記表示期間を変更する表示期間変更手段
として機能させることを特徴とするプログラムである。
【発明の効果】
【００１１】
本発明に従うと、表示端末装置やプログラムを搭載した表示装置における表示内容を状況に応じてユーザが所望の期間に、容易且つ柔軟に表示させることが出来るという効果がある。
【図面の簡単な説明】
【００１２】
【図１】本発明の実施形態の情報表示システムを示す全体図である。
【図２】電子時計の内部構成を示すブロック図である。
【図３】スマートフォンの内部構成を示すブロック図である。
【図４】スマートフォンと電子時計の間で送受信される表示情報いついて説明する図表である。
【図５】電子時計の表示例を示す図である。
【図６】電子時計の表示例を示す図である。
【図７】メッセージ受信処理の制御手順を示すフローチャートである。
【図８】表示制御処理の制御手順を示すフローチャートである。
【図９】表示制御処理の制御手順を示すフローチャートの続きである。
【図１０】第２実施形態のメッセージ受信処理の制御手順を示すフローチャートである。
【図１１】第２実施形態の表示制御処理の制御手順を示すフローチャートである。
【図１２】第２実施形態の表示制御処理の制御手順を示すフローチャートの続きである。
【図１３】第３実施形態の電子時計の内部構成を示すブロック図である。
【図１４】第３実施形態のメッセージ受信処理の制御手順を示すフローチャートである。
【図１５】第３実施形態の表示制御処理の制御手順を示すフローチャートである。
【図１６】第３実施形態の表示制御処理の制御手順を示すフローチャートの続きである。
【発明を実施するための形態】
【００１３】
以下、本発明の実施の形態を図面に基づいて説明する。
【００１４】
［第１実施形態］
図１は、本発明の第１実施形態の情報表示システム１の全体を示す図である。
この情報表示システム１は、外部機器としてのスマートフォン１０と、表示端末装置としての電子時計４０とにより構成される。これらのスマートフォン１０及び電子時計４０は、互いにBluetooth通信が可能となっており、一方（スマートフォン１０）で設定された表示データを他方（電子時計４０）で設定期間の間表示させることが可能となっている。この情報表示システム１において、Bluetooth通信は、電子時計４０及びスマートフォン１０が互いに通信可能な範囲内で動作している場合には、原則的に常時接続状態が維持される設定とされる。電子時計４０は、ユーザの腕に装着するためのバンドを備えた腕時計型のものである。
【００１５】
図２は、電子時計４０の内部構成を示すブロック図である。また、図３は、スマートフォン１０の内部構成を示すブロック図である。
【００１６】
電子時計４０は、図２に示すように、ＣＰＵ（Central Processing Unit）４１（表示情報取得手段、表示制御手段、判別手段、表示期間変更手段）と、ＲＯＭ（Read Only Memory）４２と、ＲＡＭ（Random Access Memory）４３と、操作部４４（操作手段）と、表示部４５（表示手段）及び表示部４５を駆動する表示ドライバ４６と、計時回路４７（計時手段）と、アンテナＡＮ４と、無線通信手段としてのBluetoothモジュール４８及びＵＡＲＴ（Universal Asynchronous Receiver Transmitter）４９と、振動モータ５１及びそのドライバ５２と、ピエゾ素子（ＰＺＴ）５３及びそのドライバ５４と、ＬＥＤ（発光ダイオード）５５及びそのドライバ５６と、ＣＰＵ４１と各部との間で信号のやり取りをするバス６１などを備えている。
【００１７】
ＣＰＵ４１は、各種演算処理を行い、電子時計４０の全体動作を統轄制御する。ＣＰＵ４１は、計時回路４７の計数する現在時刻に基づいて表示部４５に時刻表示を行わせる。また、ＣＰＵ４１は、Bluetoothモジュール４８を介してスマートフォン１０から取得された表示情報に基づいて表示部４５に指定期限までの間、当該表示情報に係るメッセージの表示を行わせる。この表示動作については、後に詳述する。また、ＣＰＵ４１は、これらの表示と共に、振動モータ５１、ピエゾ素子５３、又は、ＬＥＤ５５を動作させることが出来る。
【００１８】
ＲＯＭ４２は、ＣＰＵ４１が実行する種々のプログラムや初期設定データを格納する。ＲＯＭ４２が格納するデータには、情報表示プログラム４２１（プログラム）が含まれる。ＣＰＵ４１が実行するこの情報表示プログラム４２１により、スマートフォン１０から取得された各種表示情報に係るメッセージの表示制御が行われる。
【００１９】
ＲＡＭ４３は、ＣＰＵ４１に作業用のメモリ空間を提供する。またＲＡＭ４３は、表示情報記憶部４３１（記憶手段）、アラーム設定記憶部４３２、及び、ホーム都市記憶部４３３を含む。表示情報記憶部４３１には、電子時計４０がスマートフォン１０から受信した表示情報のリストが記憶される。アラーム設定記憶部４３２には、アラーム報知動作の有無及びアラーム報知時刻の設定に係るデータが記憶される。ホーム都市記憶部４３３には、時刻表示の基準となる都市設定、即ち、時差情報が記憶される。表示情報記憶部４３１にリスト記憶可能な表示情報の数は、適宜設定され、受信された表示情報がその数を超えた場合には、所定の順番、例えば、有効期限が切れていないものを除いた古い記憶順に上書き更新される。
【００２０】
操作部４４は、ここでは、４つの押しボタンスイッチを備える。操作部４４は、ユーザがこれらの押しボタンスイッチに対して行った操作に応じた電気信号を発生させて入力信号としてＣＰＵ１１に出力する。或いは、この操作部４４は、りゅうずやその他の切り替えスイッチを備え、又は、表示部４５と兼用されるタッチパネルのタッチ検出部を備えるなど、他の入力操作方法を用いるものであっても良い。
【００２１】
表示部４５は、例えば、ＬＣＤ（液晶ディスプレイ）を備える。ＣＰＵ４１から送られた制御信号により動作する表示ドライバ４６（液晶ドライバ）は、ＬＣＤを駆動して現在時刻、各種機能の設定状態や設定メニューといった指定された内容に関する表示を行わせる。或いは、この表示部４５は、他の表示手段、例えば、有機ＥＬＤ（Electro-Luminescent Display）を備えるものであっても良く、表示ドライバ４６は、表示部４５の構成に応じて適宜選択される。
【００２２】
本実施形態の電子時計４０の表示部４５は、特には限られないが、ドットマトリックス式のＬＣＤを備え、日付、時刻などの数字、文字や各種記号の表示が可能である。或いは、表示部４５の表示画面には、有機ＥＬＤ（Electro-Luminescent Display）など他の方式を用いることとしても良い。
【００２３】
計時回路４７は、所定の周波数信号をカウントしていくことで現在時刻を保持するカウンタである。本実施形態の電子時計４０において、計時回路４７がカウントする現在時刻は、日付を含む日時情報である。電子時計４０では、ＣＰＵ４１により計時回路４７からこの現在時刻が読み出されて、表示部４５に表示されたり、種々の機能動作に用いられたりする。本実施形態の電子時計４０では、この計時回路４７の計数する現在時刻は、スマートフォン１０とのBluetooth通信において、適宜なタイミングで同期修正がなされる他、ユーザの操作により手動修正を行うことも可能である。
【００２４】
Bluetoothモジュール４８は、アンテナＡＮ４を介して外部機器であるスマートフォン１０との間でBluetooth通信を行うための制御モジュールである。ＣＰＵ４１から送られた送信データは、ＵＡＲＴ４９でシリアル／パラレル変換などの処理が行われて、Bluetoothモジュール４８からスマートフォン１０に送信される。また、アンテナＡＮ４及びBluetoothモジュール４８によるスマートフォン１０からの受信データは、ＵＡＲＴ４９でシリアル／パラレル変換などの処理が行われて、ＣＰＵ４１へ出力される。
【００２５】
振動モータ５１、ピエゾ素子５３、及び、ＬＥＤ５５は、それぞれ、振動、ブザー音、及び、光を発することでユーザに対する報知動作を行うためのものである。ＣＰＵ４１からドライバ５２、５４、５６にそれぞれ制御信号が送られると、ドライバ５２、５４、５６は、それぞれ、振動モータ５１、ピエゾ素子５３、ＬＥＤ５５を動作させるのに必要な電圧信号を生成して出力する。なお、報知動作を行う構成としては、これらに限られず、例えば、豆電球や小型のベルなどを用いても良い。
【００２６】
図３に示すように、スマートフォン１０は、ＣＰＵ１１（外部設定手段、表示情報制御手段）と、ＲＯＭ１２と、ＲＡＭ１３と、記憶部１４と、操作部１５と、内蔵時計１６と、表示部１７及びそのドライバ１８と、スピーカ１９と、マイク２０と、コーデック２１と、第２通信手段としてのＲＦ送受信回路２２と、ＲＦ通信送受信用のアンテナＡＮ１１と、通信回路２３と、外部無線通信手段としてのBluetoothモジュール２４と、ＵＡＲＴ２５と、Bluetooth通信送受信用のアンテナＡＮ１２と、振動モータ２７及びそのドライバ２８と、ＣＰＵ１１と各部とを接続するバス２９などを備えている。
【００２７】
ＣＰＵ１１は、各種演算処理を行い、スマートフォン１０の全体動作を統轄制御する。ＣＰＵ１１は、操作部１５及び表示部１７を用いて電子時計４０に表示動作を行わせるメッセージの内容や、その表示期間などの付加情報の設定編集に係る動作を統括する。また、ＣＰＵ１１は、当該設定編集動作で設定され、表示設定データ記憶部１４２に記憶されたリストに基づいてBluetoothモジュール２４に制御信号を送り、電子時計４０に表示動作を行わせるメッセージに係る表示情報を送信させる。
【００２８】
ＲＯＭ１２は、ＣＰＵ１１が実行する種々の制御プログラムや初期設定データを格納する。
ＲＡＭ１３は、ＳＲＡＭやＤＲＡＭなどの揮発性メモリであり、ＣＰＵ１１に作業用のメモリ空間を提供し、作業用の一時データを記憶する。
【００２９】
記憶部１４は、不揮発性の読み書き可能なメモリであり、例えば、フラッシュメモリやＥＥＰＲＯＭ（Electrically Erasable and Programmable Read Only Memory）である。この記憶部１４には、表示設定プログラム１４１及び表示設定データ記憶部１４２（外部記憶手段）が含まれている。表示設定プログラム１４１は、電子時計４０に行わせる表示動作の設定制御を行うアプリケーションプログラムである。この表示設定プログラム１４１は、電子時計４０への表示データ専用のものであっても良いし、共用の表示データを用いてスマートフォン１０と電子時計４０とで切り替えて表示可能とするものであっても良い。表示設定データ記憶部１４２は、表示設定プログラム１４１を用いて設定された電子時計４０に表示させるメッセージに係る表示設定情報のリストを記憶するデータテーブルである。ＣＰＵ１１は、この表示設定データ記憶部１４２に記憶された表示設定情報に基づいて、表示開始タイミングで電子時計４０において表示させるメッセージ（表示内容）、表示期限（表示期間設定）、及び、表示期限の変更条件などの付加情報を含む表示情報をBluetooth通信により電子時計４０に送信させる。
【００３０】
操作部１５は、複数の操作キーや押しボタンスイッチを備え、ユーザが当該操作キーや押しボタンスイッチに対して行った操作に応じた電気信号を発生させ、入力信号としてＣＰＵ１１に出力する。また、この操作部１５は、表示部１７の表示画面にタッチされた状態及びタッチされた位置を検出するタッチ検出部を備える。
【００３１】
内蔵時計１６は、現在時刻を計数して保持するカウンタである。本実施形態のスマートフォン１０において、内蔵時計１６がカウントする現在時刻は、日付を含む日時情報である。スマートフォン１０では、ＣＰＵ１１によりこの現在時刻が読み出されて表示部１７に表示される。また、当該現在時刻データと各種機能に係る設定時刻データとが比較されて種々の動作が行われたりする。この内蔵時計１６の現在時刻データは、ＲＦ送受信回路２２による携帯基地局との通信時に、随時携帯基地局から取得される時刻データにより修正される。
【００３２】
表示部１７は、例えば、表示画面としてＬＣＤを備える。ＣＰＵ１１から送られた制御信号により動作するドライバ１８（液晶ドライバ）は、ＬＣＤを駆動してスマートフォン１０の各種機能に係る表示を行わせる。この表示部１７は、他の表示方式の表示画面、例えば、有機ＥＬＤ（Electro-Luminescent Display）を備えても良く、ドライバ１８は、表示方式に応じて適宜選択される。また、この表示部１７の表示画面にアイコンやボタンなどを表示させ、操作部１５のタッチ検出部により検出されるタッチ位置の情報と対応付けてタッチパネルとして機能させ、入力操作を受け付けることが出来る。
【００３３】
スピーカ１９は、コーデック２１からの信号に基づいて電気信号を音声信号に変換して音声を出力する。また、マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から取得された音声信号をエンコードしてＣＰＵ１１や通信回路２３へ出力する。なお、通話用のスピーカと音声を外部に出力するためのスピーカとが別個に備えられることとしても良い。
【００３４】
ＲＦ送受信回路２２は、ＲＦ通信送受信用のアンテナＡＮ１１を用いて携帯基地局との間で行われる電話通信データやメール通信データの送受信処理を行う。また、通信回路２３は、ＲＦ送受信回路２２により送受信される送受信データの各種処理を行い、ＣＰＵ１１やコーデック２１との間でデータの受け渡しを行う。
【００３５】
Bluetoothモジュール２４は、アンテナＡＮ１２を介して電子時計４０などの外部機器との間でBluetooth通信を行うための制御モジュールである。ＣＰＵ１１から送られた送信データは、ＵＡＲＴ２５でシリアル／パラレル変換などの処理が行われて、Bluetoothモジュール２４からスマートフォン１０に送信される。また、アンテナＡＮ１２及びBluetoothモジュール２４によるスマートフォン１０からの受信データは、ＵＡＲＴ２５でパラレル／シリアル変換などの処理が行われて、ＣＰＵ１１へ出力される。
【００３６】
振動モータ２７は、振動を発することでユーザに報知を行うためのものである。ＣＰＵ１１からドライバ２８に制御信号が送られると、ドライバ２８は、振動モータ２７を動作させるのに必要な電圧信号を生成して振動モータ２７に出力する。
【００３７】
次に、電子時計４０における表示動作の設定について説明する。
本実施形態の情報表示システム１では、スマートフォン１０で設定された表示設定情報のうち、電子時計４０での表示制御に必要な表示情報が表示開始タイミングで電子時計４０に送信される。そして、この表示情報に係るメッセージ（表示内容）は、設定された有効期限（表示期間設定）により示される表示終了タイミングまで電子時計４０において表示部４５の表示画面に表示される。このとき、表示設定情報の一部として設定された変更条件に応じ、電子時計４０で変更条件が満たされた場合には、有効期限が変更される。
【００３８】
図４は、スマートフォン１０と電子時計４０との間で送受信される表示情報について説明する図表である。
【００３９】
図４（ａ）は、スマートフォン１０の表示設定データ記憶部１４２に記憶される表示設定情報のデータリストの例を示す図表である。本実施形態のスマートフォン１０で記憶される表示設定情報には、情報名、表示メッセージの内容、表示開始日時、有効期限（表示終了日時）、及び、有効期限の変更条件が互いに関連付けられて配列記憶されている。例えば、リストの一つ目には、情報名「天気」について、「本日の東京の天気は、晴後曇」であることを２０１２年５月２２日の１１時から１８時まで表示させる旨の設定がなされている。その他、ここでは、月相（又は、月齢）、潮汐、日の出／日の入のように、定期的に変化する情報、祝日やユーザの記念日（スケジュール）のように、予め定められた日を示す情報、及び、スマートフォン１０への電子メール着信情報のように、リアルタイム且つ不定期に出現する情報が例として挙げられている。
定期的に設定される情報については、当該設定間隔ごとに表示設定プログラム１４１により新たなメッセージが取得されて表示設定情報を更新設定する処理が行われる。
一方、着信情報などのリアルタイム性が要求される情報については、着信時に自動的に表示設定プログラム１４１が起動され、着信時が表示開始タイミングに設定されると共に、この着信時から所定の継続時間が計算されて有効期限が自動的に設定される。そして、この表示設定情報は、表示設定データ記憶部１４２に登録記憶されると共に、電子時計４０に送信される。なお、所定の継続時間は、着信元や電子メールの配信元などに応じて異なる値に設定することも可能である。
【００４０】
図４（ｂ）は、表示設定情報に含まれる変更条件を示す図表である。有効期限の変更条件は、特に限られないが、ここでは、「０」〜「９」の数字とその内容とが表示設定プログラム１４１及び情報表示プログラム４２１において予め設定されており、スマートフォン１０のユーザが電子時計４０に表示させるメッセージの設定を行う際に、併せて変更条件を示す数字が設定され、表示設定データ記憶部１４２に記憶される。このとき、変更条件としては、一つのメッセージに対して複数のものが選択設定され得る。
【００４１】
変更条件には、ここでは、ユーザの間接的な動作に基づき表示を継続することが適切ではなくなったと判断すべき状況で表示の有効期限を期限切れに変更するものと、ユーザの直接的な動作により有効期限を変更するものとが含まれる。例えば、ホームタイム都市が変更された場合には、異なる都市に移動した場合が考えられ、このような場合には、元の都市に係る情報、例えば、天気予報や日の出／日の入の情報表示を継続する必要が無くなる。一方、ユーザの都合により、例えば、釣りを終了した後に、いつまでも潮汐情報を表示させておく必要が無い場合や、反対に、前日の情報をもう暫く表示させておきたい場合などには、ボタン操作といった直接動作により表示の有効期限を延長又は短縮したり、期限解除又は期限切れとしたりすることが出来る。
【００４２】
図４（ｃ）は、電子時計４０の表示情報記憶部４３１に記憶される表示情報のリストの例を示す図表である。
これらの表示情報は、スマートフォン１０の表示設定データ記憶部１４２に記憶された表示設定情報のうち、電子時計４０での表示制御に係る内容について、情報表示開始時やメッセージの変更設定時などにスマートフォン１０から送信されて記憶されているものである。本実施形態の電子時計４０では、情報名、メッセージの内容、及び、有効期限、変更条件が表示情報としてスマートフォン１０から取得されて記憶されている。
【００４３】
図５及び図６には、電子時計４０の表示部４５への表示例を示す。
【００４４】
図５（ａ）には、通常の現在時刻の表示状態における表示部４５の表示例を示す。この電子時計４０では、現在時刻の表示状態において、表示部４５の表示画面の上段に日付及び曜日（ここでは、５月２２日火曜日）が表示され、下段に時刻（ここでは、１２時２８分３４秒）が表示される。
【００４５】
図５（ｂ）〜図５（ｄ）、図６（ａ）〜図６（ｄ）は、それぞれ、図４（ａ）に示した７つの表示設定情報が電子時計４０に送られて表示された場合の表示例である。
【００４６】
この電子時計４０では、設定されたメッセージの内容は、表示画面上段の曜日表示に代えて表示される。メッセージは、特には限られないが、例えば、枠で囲まれて強調表示がなされる。図５（ｂ）に示すように、天気予報が表示される場合には、図４（ａ）で設定されたメッセージの通りに東京における天気予報（晴後曇）が表示される。
同様に、図５（ｃ）に示すように、月相が表示される場合には、月相が１の月であることが示され、また、図５（ｄ）に示すように、潮汐が表示される場合には、現在大潮の期間であることが示される。
【００４７】
また、日の出／日の入、祝日情報、記念日情報、及び、メール着信が表示される場合には、それぞれ、図６（ａ）〜（ｄ）に示すように、日が出ている時刻が「４：３２→１８：３２」、「５月２８日が祝日」、「６月７日が誕生日」、及び、「メール有」であることを示す表示が表示部４５の表示画面に行われる。
【００４８】
次に、電子時計４０におけるメッセージ表示動作の手順について説明する。
図７は、電子時計４０で実行されるメッセージ受信処理のＣＰＵ４１による制御手順を示すフローチャートである。
【００４９】
このメッセージ受信処理は、スマートフォン１０から表示情報が受信されることで開始される。メッセージ受信処理が開始されると、ＣＰＵ４１は、先ず、Bluetoothモジュール４８が受信した表示情報に係る受信データを表示情報記憶部４３１に記憶させ、メッセージ、有効期限、及び、変更条件の各設定をそれぞれ制御用変数として取得する（ステップＳ１１１）。
【００５０】
次に、ＣＰＵ４１は、取得した有効期限の年表示ＹＹＹＹが、有効期限設定無しを示す「９９９９」であるか否かを判別する（ステップＳ１１２）。年表示ＹＹＹＹが「９９９９」であると判別された場合には（ステップＳ１１２で“ＹＥＳ”）、ＣＰＵ４１の処理は、ステップＳ１１５に移行する。
【００５１】
年表示ＹＹＹＹが「９９９９」ではないと判別された場合には（ステップＳ１１２で“ＮＯ”）、次に、ＣＰＵ４１は、有効期限の年表示ＹＹＹＹが、有効期限切れを示す「００００」であるか否かを判別する（ステップＳ１１３）。年表示ＹＹＹＹが「００００」であると判別された場合には（ステップＳ１１３で“ＹＥＳ”）、ＣＰＵ１１は、メッセージを表示させずにメッセージ受信処理を終了する。
【００５２】
年表示ＹＹＹＹが「００００」ではないと判別された場合には（ステップＳ１１３で“ＮＯ”）、ＣＰＵ１１は、更に、現在の日時が有効期限以前であるか否かを判別する（ステップＳ１１４）。有効期限以前であると判別された場合には（ステップＳ１１４で“ＹＥＳ”）、ＣＰＵ４１の処理はステップＳ１１５に移行する。
【００５３】
有効期限以前ではないと判別された場合には（ステップＳ１１４で“ＮＯ”）、ＣＰＵ４１は、有効期限の年表示ＹＹＹＹを「００００」に設定し、期限切れとする（ステップＳ１１６）。そして、ＣＰＵ４１は、メッセージを表示させずにメッセージ受信処理を終了する。
【００５４】
ステップＳ１１２又はステップＳ１１４の処理からステップＳ１１５の処理に移行すると、ＣＰＵ４１は、表示ドライバ４６に制御信号を出力し、取得されたメッセージを表示部４５の表示画面に表示させる（ステップＳ１１５）。そして、ＣＰＵ４１は、メッセージ受信処理を終了する。
ここで、複数のメッセージについて有効期限内であり、これら複数のメッセージを同時に表示部４５に表示させることが困難である場合には、当該平行する有効期限内において、これらのメッセージの表示パターンを適宜制御することが出来る。例えば、ＣＰＵ４１は、複数のメッセージを順番に表示させることが出来る。また、この場合に、表示期間の長さや、有効期限が切れるまでの残り時間の長さなどに応じて一回当たりの表示時間や各回の表示間隔を変化させることが出来る。また、複数の表示対象メッセージが存在することを示す表示（例えば、３個の表示対象メッセージのうち１個目を表示していることを示す「１／３」表示）などを合わせて表示させることも可能である。
【００５５】
図８、図９には、ＣＰＵ４１により実行される表示制御処理の制御手順を示す。
この表示制御処理は、変更条件に係る動作が実行されたりイベントが発生したりした場合、及び、表示情報記憶部４３１に表示情報が記憶されている場合に定期的に繰り返し実行される。
【００５６】
表示制御処理が開始されると、ＣＰＵ４１は、先ず、図８に示すように、有効期限の年表示ＹＹＹＹが「９９９９」であるか否かを判別する（ステップＳ１２１）。年表示ＹＹＹＹが「９９９９」であると判別された場合には（ステップＳ１２１で“ＹＥＳ”）、ＣＰＵ４１の処理は、ステップＳ１３７に移行する。
【００５７】
年表示ＹＹＹＹが「９９９９」ではないと判別された場合には（ステップＳ１２１で“ＮＯ”）、次に、ＣＰＵ４１は、年表示が「００００」であるか否かを判別する（ステップＳ１２２）。年表示が「００００」であると判別された場合には（ステップＳ１２２で“ＮＯ”）、ＣＰＵ４１は、そのまま表示制御処理を終了する。ここで、ステップＳ１２２の判別処理において年表示が「００００」であると判別される場合は、図７のステップＳ１１６の処理で“ＹＥＳ”に分岐して、初めから表示がなされなかった場合か、又は、後述するように、表示制御処理内で有効期限が切れて、若しくは、有効期限切れの設定がなされて、表示が既に消去されている場合であるので、本実施形態の電子時計４０では、表示がなされない状態が維持されて表示制御処理が終了する。
【００５８】
年表示ＹＹＹＹが「００００」ではないと判別された場合には（ステップＳ１２２で“ＮＯ”）、ＣＰＵ４１は、変更条件を示す値が「０」であるか否かを判別する（ステップＳ１２３）。値が「０」であると判別された場合、即ち、変更条件がない場合には（ステップＳ１２３で“ＹＥＳ”）、ＣＰＵ４１の処理は、ステップＳ１３６に移行する。
【００５９】
値が「０」ではないと判別された場合には（ステップＳ１２３で“ＮＯ”）、ＣＰＵ４１は、変更条件に「１」が含まれ、且つ、計時回路４７の計数する時刻が修正変更されたか否かを判別する（ステップＳ１２４）。変更条件に「１」が含まれ、且つ、計時回路４７の計数する時刻が修正変更されたと判別された場合には（ステップＳ１２４で“ＹＥＳ”）、ＣＰＵ４１の処理は、ステップＳ１３８に移行する。
ここで、ＣＰＵ４１は、時刻の修正変更として、予め設定された時間以上のものに限って行われたものと判断することが出来る。上述したように、スマートフォン１０と電子時計４０との間では、原則的に常時Bluetooth通信の接続がなされており、電子時計４０は、スマートフォン１０から時刻情報を取得して随時時刻の修正変更を行う設定とすることが出来るが、このときの時刻の修正量は、通常、１秒より小さい。従って、このような微修正ごとに表示がキャンセルされる必要はない。そこで、ステップＳ１２４の判別処理において、例えば、設定時間として１時間以上の時刻の変更がなされた場合にのみ修正変更がなされたと判別されて“ＹＥＳ”に分岐する設定とすることが出来る。このような微修正を行わない場合などには、設定時間を０分とすれば良い。
【００６０】
変更条件に「１」が含まれないか、又は、計時回路４７の計数する時刻が変更されていないと判別された場合には（ステップＳ１２４で“ＮＯ”）、ＣＰＵ４１は、変更条件に「２」が含まれ、且つ、ホーム都市記憶部４３３に設定記憶されたホームタイム都市の設定が変更されたか否かを判別する（ステップＳ１２５）。変更条件に「２」が含まれ、且つ、ホームタイム都市の設定が変更されたと判別された場合には（ステップＳ１２５で“ＹＥＳ”）、ＣＰＵ４１の処理は、ステップＳ１３８に移行する。
【００６１】
変更条件に「２」が含まれないか、又は、ホームタイム都市の設定が変更されていないと判別された場合には（ステップＳ１２５で“ＮＯ”）、ＣＰＵ４１は、変更条件に「３」が含まれ、且つ、操作部４４から何れかの押しボタンスイッチの操作に伴う入力信号が入力されたか否かを判別する（ステップＳ１２６）。変更条件に「３」が含まれ、且つ、操作部４４から何れかの押しボタンスイッチの操作入力信号が入力されたと判別された場合には（ステップＳ１２６で“ＹＥＳ”）、ＣＰＵ４１の処理は、ステップＳ１３８に移行する。
【００６２】
変更条件に「３」が含まれないか、又は、操作部４４から何れの押しボタンスイッチの操作に係る入力信号も入力されていないと判別された場合には（ステップＳ１２６で“ＮＯ”）、ＣＰＵ４１は、変更条件に「４」が含まれ、且つ、操作部４４から押しボタンスイッチ１の操作に係る入力信号が入力されたか否かを判別する（ステップＳ１２７）。変更条件に「４」が含まれ、且つ、操作部４４から押しボタンスイッチ１の操作に係る入力信号が入力されたと判別された場合には（ステップＳ１２７で“ＹＥＳ”）、ＣＰＵ４１の処理は、ステップＳ１３８に移行する。
【００６３】
変更条件に「４」が含まれないか、又は、操作部４４から押しボタンスイッチ１の操作に係る入力信号が入力されていないと判別された場合には（ステップＳ１２７で“ＮＯ”）、ＣＰＵ４１は、変更条件に「５」が含まれ、且つ、実行されていたタイマー機能においてタイマー設定時間が経過した（タイムアップした）か否かを判別する（ステップＳ１２８）。変更条件に「５」が含まれ、且つ、タイマー機能においてタイムアップしたと判別された場合には（ステップＳ１２８で“ＹＥＳ”）、ＣＰＵ４１の処理は、ステップＳ１３８に移行する。
【００６４】
変更条件に「５」が含まれないか、又は、タイマー機能が実行されていない、若しくは、タイマー機能において未だタイムアップしていないと判別された場合には（ステップＳ１２８で“ＮＯ”）、ＣＰＵ４１は、変更条件に「６」が含まれ、且つ、アラーム設定記憶部４３２に設定記憶されたアラーム設定時刻となったか否かを判別する（ステップＳ１２９）。変更条件に「６」が含まれ、且つ、アラーム設定時刻となったと判別された場合には（ステップＳ１２９で“ＹＥＳ”）、ＣＰＵ４１の処理は、ステップＳ１３８に移行する。
【００６５】
変更条件に「６」が含まれないか、又は、アラーム設定時刻になっていないと判別された場合には（ステップＳ１２９で“ＮＯ”）、図９に示すように、ＣＰＵ４１は、変更条件に「７」が含まれ、且つ、操作部４４から押しボタンスイッチ２の操作に係る入力信号が入力されたか否かを判別する（ステップＳ１３０）。変更条件に「７」が含まれ、且つ、操作部４４から押しボタンスイッチ２の操作に係る入力信号が入力されたと判別された場合には（ステップＳ１３０で“ＹＥＳ”）、ＣＰＵ４１は、設定されている有効期限を１時間短縮する（ステップＳ１３１）。それから、ＣＰＵ４１の処理は、ステップＳ１３６に移行する。
【００６６】
変更条件に「７」が含まれないか、又は、操作部４４から押しボタンスイッチ２の操作に係る入力信号が入力されていないと判別された場合には（ステップＳ１３０で“ＮＯ”）、ＣＰＵ４１は、変更条件に「８」が含まれ、且つ、操作部４４から押しボタンスイッチ３の操作に係る入力信号が入力されたか否かを判別する（ステップＳ１３２）。変更条件に「８」が含まれ、且つ、操作部４４から押しボタンスイッチ３の操作に係る入力信号が入力されたと判別された場合には（ステップＳ１３２で“ＹＥＳ”）、ＣＰＵ４１は、設定されている有効期限を１時間延長する（ステップＳ１３３）。それから、ＣＰＵ４１の処理は、ステップＳ１３６に移行する。
【００６７】
変更条件に「８」が含まれないか、又は、操作部４４から押しボタンスイッチ３の操作に係る入力信号が入力されていないと判別された場合には（ステップＳ１３２で“ＮＯ”）、ＣＰＵ４１は、変更条件に「９」が含まれ、且つ、操作部４４から押しボタンスイッチ４の操作に係る入力信号が入力されたか否かを判別する（ステップＳ１３４）。変更条件に「９」が含まれ、且つ、操作部４４から押しボタンスイッチ４の操作に係る入力信号が入力されたと判別された場合には（ステップＳ１３４で“ＹＥＳ”）、ＣＰＵ４１は、有効期限の年表示ＹＹＹＹを「９９９９」に変更し、有効期限を無しとする（ステップＳ１３５）。それから、ＣＰＵ４１の処理は、ステップＳ１３７に移行する。
【００６８】
変更条件に「９」が含まれないか、又は、操作部４４により押しボタンスイッチ４の操作が検出されていないと判別された場合には（ステップＳ１３４で“ＮＯ”）、ＣＰＵ４１の処理は、ステップＳ１３６に移行する。
【００６９】
ステップＳ１２３、Ｓ１３１、Ｓ１３３、又は、Ｓ１３４の何れかの処理からステップＳ１３６の処理に移行すると、ＣＰＵ４１は、計時回路４７により計数されている現在の日時が有効期限以前であるか否かを判別する（ステップＳ１３６）。有効期限以前であると判別された場合には（ステップＳ１３６で“ＹＥＳ”）、ＣＰＵ４１の処理は、ステップＳ１３７に移行する。一方、有効期限を過ぎていると判別された場合には（ステップＳ１３６で“ＮＯ”）、ＣＰＵ４１の処理は、ステップＳ１３８に移行する。
【００７０】
ステップＳ１２４〜Ｓ１２９、又は、ステップＳ１３６の各判別処理からステップＳ１３８の処理に移行すると、ＣＰＵ４１は、有効期限の年表示ＹＹＹＹを「００００」に変更する（ステップＳ１３８）。また、ＣＰＵ４１は、表示されていたメッセージを消去して、通常の表示に戻す（ステップＳ１３９）。そして、ＣＰＵ４１は、表示制御処理を終了する。
【００７１】
ステップＳ１２１、Ｓ１３５、Ｓ１３６の処理からステップＳ１３７の処理に移行した場合には、ＣＰＵ４１は、表示ドライバ４６に制御信号を出力して表示部４５にメッセージの表示を行わせる（ステップＳ１３７）。そして、ＣＰＵ４１は、表示制御処理を終了する。
【００７２】
以上のように、本発明の第１実施形態の情報表示システム１は、互いにBluetooth通信によるデータ送受信が可能な電子時計４０とスマートフォン１０とにより構成される。電子時計４０は、Bluetooth通信を行うためのBluetoothモジュール４８と、表示部４５とを備え、また、スマートフォン１０は、Bluetooth通信を行うためのBluetoothモジュール２４と、表示部４５に表示させるメッセージに係る表示設定データを記憶する記憶部１４に設けられた表示設定データ記憶部１４２とを備える。電子時計４０は、スマートフォン１０から表示設定情報に基づく表示情報を受信して、ＣＰＵ４１の動作によって当該表示情報で指定されたメッセージを表示期間に亘って表示させる。このメッセージの表示期間は、表示情報に含まれる変更条件に基づき、当該変更条件に該当する場合に変更される。従って、電子時計４０では、直接有効期限等の設定を変更するための複雑な操作を必要とせず容易に、状況に応じた表示期間の変更設定を行うことが出来る。即ち、ユーザは、表示させる必要のなくなったメッセージや、設定よりも長く表示させる必要が生じたメッセージの表示期間を容易に調整することが出来る。
【００７３】
また、表示設定情報の管理はスマートフォン１０などの外部機器でまとめて行うことが出来る一方で、表示端末となる電子時計４０でも必要に応じて表示期間を制御するための簡単な操作を受け付け可能として、メッセージ（表示内容）を柔軟に適切な状態に保つことが出来る。
また、このような操作を電子時計４０が備える操作部４４、例えば、押しボタンスイッチ１〜４の容易な操作でのみ行うことが出来るようにメッセージ表示の有効期限の変更条件を設定することが出来るので、ユーザは、複雑な操作の行いづらい電子時計４０に適した簡易な操作で有効期限の変更を行うことが出来る。
【００７４】
また、表示期間の変更のパターンを予め情報表示プログラム４２１などで定めておくことで、表示設定情報及び表示情報に含ませる変更パターンの情報に係るデータ量を減らし、簡便に設定のやり取りを行うことが出来る。
また、変更条件を複数設定すると共に、これらのうち、各メッセージで必要な変更条件のみを利用してメッセージ表示の有効期限の調節を行うことが出来るので、画一的な処理ではなく、メッセージごとに柔軟に対応することが出来る。
【００７５】
また、ユーザによるボタン操作に基づく直接的な有効期限の変更だけではなく、計時回路４７の計数する現在時刻の変更処理や、ホーム都市記憶部４３３に記憶されたホーム都市の設定変更処理など、有効期限の設定時に意図された有効期限が意味を成さなくなるような場合にも、表示を自動的に終了させるように有効期限を変更するので、ユーザの操作の手間を軽減すると共に、ユーザの情報閲覧の利便性を向上させることが出来る。
【００７６】
また、メッセージに係る表示情報を直接表示情報記憶部４３１から削除するのではなく、有効期限の変更という形で表示を消去するので、他の有効期限の変更と同一の処理の中で容易に処理の制御を行うことが出来る。
【００７７】
また、表示動作の設定を操作の容易なスマートフォン１０で行い、表示動作自体を様々な状況で閲覧可能な表示端末装置である電子時計４０で行うことで、情報の知得をより確実に行えるようにすると共に、表示端末装置側の電子時計４０でも簡単な操作で表示期間を容易に変更可能とすることで、より容易且つ柔軟に表示を制御することが出来る。
【００７８】
また、スマートフォン１０で受信された電話や電子メールの着信報知に係る表示についても、適宜な表示期間を設定して表示させると共に、着信内容などに応じて容易に表示期間を変更したりすることが出来るので、ユーザは遅滞なく確実且つ柔軟に必要な着信情報を知得することが出来る。
【００７９】
また、このように表示期間を制御するプログラムを用いることで、様々な表示端末装置で容易に表示期間の制御が可能になる。
【００８０】
［第２実施形態］
次に、第２実施形態の情報表示システム１について説明する。この第２実施形態の情報表示システム１の構成、及び、この情報表示システム１を構成する電子時計４０及びスマートフォン１０の内部構成は、第１実施形態の情報表示システム１における構成と同一であり、説明を省略する。
【００８１】
次に、第２実施形態の電子時計４０における情報表示動作について説明する。
図１０は、第２実施形態の電子時計４０において実行されるメッセージ受信処理のＣＰＵ４１による制御手順を示すフローチャートである。このメッセージ受信処理は、第１実施形態の電子時計４０において実行されるメッセージ受信処理と比較して、ステップＳ１１６が省略された点を除き、同一であり、同一の符号を付して説明を省略する。
【００８２】
即ち、第２実施形態の電子時計４０のメッセージ受信処理では、ステップＳ１１４の判別処理において、現在の日時が有効期限以前ではないと判別された場合でも、ＣＰＵ４１は、有効期限の年表示ＹＹＹＹを、有効期限切れを示す「００００」に変更せずにそのままメッセージ受信処理を終了する。
【００８３】
図１１、図１２は、第２実施形態の電子時計４０において実行される表示制御処理のＣＰＵ４１による制御手順を示すフローチャートである。この表示制御処理は、第１実施形態の電子時計４０において実行される表示制御処理と比較して、ステップＳ１３８の処理がステップＳ１３８ａの判別処理に変更された点を除いて同一であり、同一の符号を付して説明を省略する。
【００８４】
即ち、第２実施形態の電子時計４０における表示制御処理では、ステップＳ１２４〜Ｓ１２９、Ｓ１３６の何れかの処理からステップＳ１３８ａの判別処理に移行すると、ＣＰＵ４１は、現在、メッセージを表示中であるか否かを判別する（ステップＳ１３８ａ）。メッセージを表示中であると判別された場合には（ステップＳ１３８ａで“ＹＥＳ”）、ＣＰＵ４１は、そのメッセージを消去して、通常の表示状態に戻す（ステップＳ１３９）。メッセージを表示中ではないと判別された場合には（ステップＳ１３８ａで“ＮＯ”）、ＣＰＵ４１は、現在の表示状態のまま表示制御処理を終了する。即ち、表示制御処理においても、現在の時刻が有効期限を過ぎた場合に、有効期限の年表示ＹＹＹＹを、有効期限切れを示す「００００」に変更しない。
【００８５】
このように、第２実施形態の電子時計４０では、メッセージ受信処理及び表示制御処理において、有効期限切れのメッセージに係る表示情報の有効期限設定に係る年表示ＹＹＹＹを消去して「００００」としないので、一度表示部４５の表示画面から消去されたメッセージであっても容易に表示期間を指定して延長し、表示を復活させることが出来る。
この場合には、有効期限が切れたメッセージについても、その後所定時間表示情報が消去されないように設定されることが望ましい。そして、この所定時間が経過したものから順次新たな表示情報で上書き更新させていくことで、メッセージ表示の復活に対応させつつ、不要に表示情報記憶部４３１のメモリサイズを拡大せずに、表示部４５に適切な表示を行わせることが出来る。
【００８６】
［第３実施形態］
次に、第３実施形態の情報表示システム１について説明する。
第３実施形態の情報表示システム１は、電子時計４０ａとスマートフォン１０とにより構成される。スマートフォン１０の内部構成は、第１実施形態と第３実施形態の情報表示システム１について同一であり、説明を省略する。
【００８７】
図１３は、第３実施形態の電子時計４０ａの内部構成を示すブロック図である。
電子時計４０ａは、電子時計４０と比較して、ＲＡＭ４３ａに有効期限計数部４３４（期間計数手段）が設けられている点を除いて同一であり、同一部分については同一の符号を付して説明を省略する。
【００８８】
有効期限計数部４３４は、表示情報記憶部４３１に表示情報が記憶されている場合に、当該表示情報に係る有効期限に対する現在時刻を計時回路４７とは別個に計数した値を記憶する。即ち、この有効期限計数部４３４に記憶される現在時刻は、表示情報が表示情報記憶部４３１に記憶された後に計時回路４７の計数する現在時刻が変更されても、当該表示情報の記憶時点の時刻を基準とした値のまま計数された時刻となる。なお、この有効期限計数部４３４は、ソフトウェア的に計算された有効期限用の現在時刻を記憶させるＲＡＭ４３に設けられたものではなく、ハードウェア的に別個のカウンタ回路を複数有するものであっても良い。
【００８９】
図１４は、第３実施形態の電子時計４０ａにおいて実行されるメッセージ受信処理のＣＰＵ４１による制御手順を示すフローチャートである。
このメッセージ受信処理は、第１実施形態の電子時計４０において実行されるメッセージ受信処理と比較して、ステップＳ１１１、Ｓ１１４がそれぞれステップＳ１１１ａ、Ｓ１１４ａに変更された点を除き同一であり、同一部分については同一の符号を付して詳しい説明を省略する。
【００９０】
このメッセージ受信処理が開始されると、ＣＰＵ４１は、受信された表示情報に係るメッセージ、有効期限、変更条件を表示情報記憶部４３１に記憶させると共に、計時回路４７の計数する現在時刻を有効期限計数部４３４にコピーして、当該コピーされた時刻を基準として現在時刻の計数を開始する（ステップＳ１１１ａ）。この有効期限用現在時刻は、計時回路４７の計数する現在時刻と同一の時刻精度である必要は無い。例えば、表示情報記憶部４３１に記憶される有効期限の設定時刻が分単位である場合には、分桁以上のデータを１分に一回更新する構成であっても良い。
【００９１】
そして、ＣＰＵ４１は、ステップＳ１１４ａの処理において、現在の日時が有効期限以前であるか否かを判別する際に、有効期限計数部４３４に記憶されている有効期限用の現在時刻を現在の日時として用いる。
【００９２】
図１５、図１６は、第３実施形態の電子時計４０ａにおいて実行される表示制御処理のＣＰＵ４１による制御手順を示すフローチャートである。
本実施形態の表示制御処理は、第１実施形態の電子時計４０において実行される表示制御処理と比較して、ステップＳ１２４が省略され、又、ステップＳ１３６の処理がステップＳ１３６ａに変更された点を除き同一であり、同一の処理については同一の符号を付して詳しい説明を省略する。
【００９３】
本実施形態の表示制御処理では、ステップＳ１２３の判別処理で“ＮＯ”に分岐した場合には、次に、ステップＳ１２５の判別処理に移行する。即ち、ＣＰＵ４１は、変更条件が「１」である場合の判定処理を行わず、従って、計時回路４７が計数する現在時刻が変更されても有効期限切れに変更する処理を行わない。
【００９４】
また、ステップＳ１２３、Ｓ１３１、Ｓ１３３、Ｓ１３４の何れかの処理からステップＳ１３６ａの処理に移行すると、ＣＰＵ４１は、現在の日時が有効期限以前であるか否かを判別する際に、有効期限計数部４３４に記憶されている有効期限用の現在時刻を現在の日時として用いる（ステップＳ１３６ａ）。
【００９５】
即ち、この表示制御処理では、メッセージ受信処理で表示情報が表示情報記憶部４３１に記憶された後に計時回路４７が計数する現在時刻が変更されても、当該表示情報の記憶時点での時刻を基準として計数された時刻と、有効期限との間で比較がなされる。
【００９６】
このように、第３実施形態の電子時計４０ａは、有効期限計数部４３４を備える。そして、スマートフォン１０から表示情報が受信された際に、当該メッセージの有効期限を定めるための有効期限用現在時刻を、このタイミングにおける計時回路４７の現在時刻をコピーすることで定め、計数する。従って、電子時計４０ａにおける現在時刻の設定変更や修正による元の時刻からのずれに拘わらず、設定時に定められたユーザ所望の有効期限までの経過時間に対応する期間に亘り、表示部４５にメッセージを表示させることが出来る。
【００９７】
また、特に、メッセージの表示開始後に計時回路４７の計数する現在時刻が変更された場合であっても、スマートフォン１０で設定した際に意図された時刻に基づく時刻を基準としたまま有効期限が定められて表示期間が設定されるので、現在時刻の変更に伴い意図しないタイミングでメッセージの表示が消去されたり、余分に継続したりする事態を避けることが出来る。
【００９８】
なお、本発明は、上記実施の形態に限られるものではなく、様々な変更が可能である。
例えば、上記実施の形態では、表示部１７として時刻表示用の単一の表示画面を共用する構成について説明したが、情報表示用の表示画面を別途有する電子時計４０であっても良い。また、純粋なデジタル電子時計に限らず、指針を用いたアナログ表示と併用された時計でも良く、また、表示される内容によっては、アナログ表示のみの電子時計であっても良い。
【００９９】
また、表示端末装置は、電子時計４０に限られない。スマートフォン１０以外のスマートフォンや携帯電話を併用する場合には、これらの通信機器であっても良く、或いは、電子歩数計やその他の腕装着型の端末などを含む携帯型装置であっても良い。一方、外部機器としては、スマートフォン１０に限られず、携帯電話、ＰＤＡ（Personal Digital Assistant）、タブレット端末などでも良く、更に、外部機器には、室内据え置きのコンピュータや情報機器などが含まれても良い。
【０１００】
また、上記実施の形態では、無線通信としてBluetooth通信を例に挙げたが、ＵＷＢ（Ultra Wide Band）、ＺＩＧＢＥＥ（登録商標）や、Ｗｉ−Ｆｉといった無線ＬＡＮなどその他の方式であっても良い。
【０１０１】
また、上記実施の形態では、表示情報記憶部４３１に記憶された表示情報は、画一的に有効期限の切れた古いものから順に上書き更新される場合について示したが、その他の方法でも良い。例えば、同一情報名に係る表示情報が受信された場合には、当該同一情報を上書きする設定とすることが出来る。このような設定とすることで、有効期限が切れる前での効率的な表示情報の更新も可能となる。
【０１０２】
また、上記実施の形態では、開始時にスマートフォン１０から電子時計４０に送信されて、即座に表示を開始する構成としたが、設定時や表示開始の所定時間前に電子時計４０に送信する構成であっても良い。このような構成とすることで、表示開始設定のタイミングで一時的にBluetooth通信の接続が切断されていた場合でも確実に表示を開始することが出来る。
【０１０３】
また、上記実施の形態では、押しボタンスイッチ等の操作に基づく有効期限の変更について説明したが、例えば、Bluetooth通信の接続が切断された場合の変更条件や、加速度センサや温度センサといった計測センサから取得された計測値に基づく変更条件など、ユーザの操作を介さずに有効期限を変更する設定を行うことも可能である。
【０１０４】
また、表示期間の変更として、期限設定無し、期限切れ、１時間の期限延長／短縮を例に挙げて説明したが、これに限られない。電子時計４０において必要な操作が複雑にならない範囲で、他の延長時間や短縮時間を設定することが出来る。また、有効期限の設定無し／期限切れの設定を設けないこととしても良い。或いは、期限切れへの設定変更は、年表示ＹＹＹＹを「００００」とするのではなく、現在時刻に変更することで行うこととしても良い。
【０１０５】
また、変更時の操作の設定方法は任意に設定可能である。上記実施の形態では、電子時計４０の押しボタンスイッチ１〜４の押下に基づく変更条件の設定について示したが、押しボタンスイッチの数やりゅうずの有無などに応じて適宜設定することが可能である。
また、上記実施の形態では、変更条件と変更条件に係る操作の対応に係る設定を表示設定プログラム１４１及び情報表示プログラム４２１に含ませることとしたが、これらのプログラムで読み込まれる設定テーブルを別途用意する構成とし、この設定テーブルを電子時計４０の構成に応じてスマートフォン１０で作成、変更可能とすることが出来る。
【０１０６】
また、上記実施の形態では、有効期限は、時刻表示で設定、記憶させたが、相対的な経過時間（表示継続時間）で表すことを可能としても良い。例えば、時刻表示で設定した後、表示継続時間を算出してこの継続時間を表示情報記憶部４３１に記憶させ、計数することで表示時間を制御することしても良い。
【０１０７】
また、上記実施の形態では、有効期限用の現在時刻を別途計数して有効期限計数部４３４に記憶させることとしたが、計時回路４７の現在時刻が変更された場合に、変更前の時刻と変更後の時刻との差を記憶させておき、当該差分を考慮して有効期限を読み替えることで、現在時刻の変更前の時刻に基づいてメッセージの表示期間を制御することとしても良い。
【０１０８】
また、上記実施の形態では、本発明に係るプログラムのコンピュータ読み取り可能な媒体としてＲＯＭ４２及び不揮発性メモリからなる記憶部１４を使用した例を開示したが、この例に限定されない。その他のコンピュータ読み取り可能な媒体として、ＣＤ−ＲＯＭやＵＳＢメモリ等の可搬型記録媒体を適用することが可能である。また、本発明に係るプログラムのデータを通信回線を介して提供する媒体として、キャリアウェーブ（搬送波）も本発明に適用される。
その他、上記実施の形態で説明した具体的な数値や構成、処理の順番といった細部は、本発明の趣旨を逸脱しない範囲で適宜変更可能である。
【０１０９】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【０１１０】
［付記］
＜請求項１＞
設定された外部機器と無線通信を行うための無線通信手段と、
表示手段と、
前記無線通信手段により前記表示手段に表示させる表示内容、当該表示内容の表示期間設定、及び、当該表示期間の変更条件を含む表示情報を取得する表示情報取得手段と、
前記表示期間設定に基づいて前記表示手段による前記表示内容の表示期間を制御する表示制御手段と、
前記変更条件に該当する状態か否かを判別する判別手段と、
前記判別手段の判別結果に基づいて前記表示期間を変更する表示期間変更手段と
を備えることを特徴とする表示端末装置。
＜請求項２＞
入力操作を受け付ける操作手段を備え、
前記判別手段は、当該操作手段により前記変更条件に該当する操作内容が受け付けられたか否かを判別する
ことを特徴とする請求項１記載の表示端末装置。
＜請求項３＞
前記判別手段は、複数の前記変更条件の何れかに該当するか否かを判別し、
前記表示期間変更手段は、当該複数の変更条件に対応してそれぞれ予め設定された変更内容により前記表示期間を変更する
ことを特徴とする請求項１又は２記載の表示端末装置。
＜請求項４＞
現在の日時を計数する計時手段を備え、
前記判別手段は、前記表示内容の表示期間中に前記計時手段の計数する現在の日時が所定時間以上修正されたか否かを判別し、
前記表示期間変更手段は、前記判別手段により前記現在の日時が前記所定時間以上修正されたと判別された場合には、前記表示内容の表示期間を終了させるように前記表示期間を変更する
ことを特徴とする請求項１〜３の何れか一項に記載の表示端末装置。
＜請求項５＞
現在の日時を計数する計時手段と、
前記表示内容の表示期間に係る時間の経過を計数する期間計数手段と、
を備え、
前記表示制御手段は、前記期間計数手段の計数する時間の経過により前記表示内容の表示期間を制御する
ことを特徴とする請求項１〜４の何れか一項に記載の表示端末装置。
＜請求項６＞
前記期間計数手段は、前記無線通信手段により前記表示内容が取得されたタイミングで前記計時手段が計数していた日時を基準として現在の日時を計数することを特徴とする請求項５記載の表示端末装置。
＜請求項７＞
前記表示情報を所定数記憶可能な記憶手段を備え、
前記表示情報取得手段は、前記表示期間の終了後所定時間が経過した前記表示内容に係る前記表示情報を新たに取得された表示情報で上書き更新する
ことを特徴とする請求項１〜６の何れか一項に記載の表示端末装置。
＜請求項８＞
請求項１〜７の何れか一項に記載の表示端末装置と、外部機器とを備え、
当該外部機器は、
他の外部機器と無線通信を行うための外部無線通信手段と、
前記表示端末装置に表示させる表示内容と、当該表示内容の表示期間と、当該表示期間の変更条件とを含む表示設定情報を設定するための外部設定手段と、
前記表示設定情報を前記表示内容ごとに記憶する外部記憶手段と、
前記表示内容の表示開始日時を基準とした所定のタイミングで前記外部無線通信手段に前記表示端末装置へ当該表示内容に係る前記表示情報を送信させる表示情報制御手段と
を備える
ことを特徴とする情報表示システム。
＜請求項９＞
前記外部機器は、電話、及び／又は、電子メールの送受信を行う第２通信手段を備え、
前記外部設定手段は、前記第２通信手段による電話、及び／又は、電子メールの着信時に、当該着信を示す表示内容、及び、当該着信のタイミングから所定時間の前記表示期間を含む表示設定情報を設定する
ことを特徴とする請求項８記載の情報表示システム。
＜請求項１０＞
設定された外部機器と無線通信を行うための無線通信手段を備えた表示端末装置に前記外部機器から取得された表示内容を表示させる情報表示制御方法であって、
表示させる表示内容、当該表示内容の表示期間設定、及び、当該表示期間の変更条件を含む表示情報を前記無線通信手段により取得する表示情報取得ステップ、
前記表示期間設定に基づいて前記表示内容の表示期間を制御する表示制御ステップ、
前記変更条件に該当する状態か否かを判別する判別ステップ、
前記判別ステップでの判別結果に基づいて前記表示期間を変更する表示期間変更ステップ
を含むことを特徴とする情報表示制御方法。
＜請求項１１＞
設定された外部機器と無線通信を行うための無線通信手段を備え、前記外部機器から取得された表示内容を表示する表示端末装置に用いられるコンピュータを、
表示させる表示内容、当該表示内容の表示期間設定、及び、当該表示期間の変更条件を含む表示情報を前記無線通信手段により取得する表示情報取得手段、
前記表示期間設定に基づいて前記表示内容の表示期間を制御する表示制御手段、
前記変更条件に該当する状態か否かを判別する判別手段、
前記判別手段の判別結果に基づいて前記表示期間を変更する表示期間変更手段
として機能させることを特徴とするプログラム。
【符号の説明】
【０１１１】
１     情報表示システム
１０   スマートフォン
１１   ＣＰＵ
１２   ＲＯＭ
１３   ＲＡＭ
１４   記憶部
１４１ 表示設定プログラム
１４２ 表示設定データ記憶部
１５   操作部
１６   内蔵時計
１７   表示部
１８   ドライバ
１９   スピーカ
２０   マイク
２１   コーデック
２２   ＲＦ送受信回路
２３   通信回路
２４   Bluetoothモジュール
２５   ＵＡＲＴ
２７   振動モータ
２８   ドライバ
２９   バス
４０   電子時計
４０ａ 電子時計
４１   ＣＰＵ
４２   ＲＯＭ
４２１ 情報表示プログラム
４３   ＲＡＭ
４３ａ ＲＡＭ
４３１ 表示情報記憶部
４３２ アラーム設定記憶部
４３３ ホーム都市記憶部
４３４ 有効期限計数部
４４   操作部
４５   表示部
４６   表示ドライバ
４７   計時回路
４８   Bluetoothモジュール
４９   ＵＡＲＴ
５１   振動モータ
５２   ドライバ
５３   ピエゾ素子
５４   ドライバ
５５   ＬＥＤ
５６   ドライバ
６１   バス
ＡＮ１１      アンテナ
ＡＮ１２      アンテナ
ＡＮ４ アンテナ
【図１】
2014123169.tif 000003
【図２】
2014123169.tif 000004
【図３】
2014123169.tif 000005
【図４】
2014123169.tif 000006
【図５】
2014123169.tif 000007
【図６】
2014123169.tif 000008
【図７】
2014123169.tif 000009
【図８】
2014123169.tif 000010
【図９】
2014123169.tif 000011
【図１０】
2014123169.tif 000012
【図１１】
2014123169.tif 000013
【図１２】
2014123169.tif 000014
【図１３】
2014123169.tif 000015
【図１４】
2014123169.tif 000016
【図１５】
2014123169.tif 000017
【図１６】
2014123169.tif 000018